(57)【要約】【課題】放射線透過試験フィルム撮影においてそのデジタル化の評価を可能にするために使用される多種類の基準ゲージ（ラインペアチャート）の呼称のためのマーカであり、英字と数字の組み合わせからなり、放射線不透過の部材から形成される放射線透過試験用基準ゲージの表示マーカを提供する。【解決手段】基準ゲージ１は複数列の長溝５を並設する基準ゲージ本体２と、この基準ゲージ本体２の内容を表示してデータ管理を効率化するために用いられる表示マーカ３とからなる。この表示マーカ３は英字と数字の配列からなり、放射線不透過の部材からなる。これにより、透過試験においてフィルム上に表示マーカ３を明記することができる。【選択図】      図１
2004226268.tif 000002
【特許請求の範囲】
【請求項１】
放射線透過試験フィルムのデジタル化の評価を可能にするために用いられ更にデジタル化により前記フィルムを遠方のユーザ等に送付できるゲージであり厚みｔの平板体のほぼ中央領域に幅寸法ｔで長さｎｔの複数本の長溝を貫通すると共にその長溝間の間隔寸法が幅寸法ｔに等しいもの又は任意の寸法のものからなる多種類の寸法、材質からなる基準ゲージを呼称するため前記基準ゲージに一体的又は別体に付設され表示マーカであって、該表示マーカは、前記多種類の基準ゲージの区分、材質、寸法や製造管理番号を表示するマーカ群からなり、該マーカ群は放射線不透過部材から形成されることを特徴とする放射線透過試験用基準ゲージの表示マーカ。
【請求項２】
前記表示マーカが、平板体に前記マーカ群を貫通形成し、その貫通孔内に放射線不透過部材を充填したものからなることを特徴とする請求項１に記載の放射線透過試験用基準ゲージの表示マーカ。
【請求項３】
前記放射線不透過部材が、鉛粉又は光明丹からなることを特徴とする請求項２に記載の放射線透過試験用基準ゲージの表示マーカ。
【請求項４】
前記表示マーカが、前記マーカ群の夫々を放射線不透過部材で形成したものを所定の配列順に従って並べたものからなることを特徴とする請求項１に記載の放射線透過試験用基準ゲージの表示マーカ。
【請求項５】
前記基準ゲージ及び表示マーカは、その裏面を樹脂製カバープレートにより被包されたものからなることを特徴とする請求項１乃至４のいずれかに記載の放射線透過試験用基準ゲージの表示マーカ。
【発明の詳細な説明】
【０００１】
【発明の属する技術分野】
本発明は、放射線透過試験フィルム撮影においてそのデジタル化の評価を可能にするために使用される多種類の基準ゲージ（ラインペアチャート）の呼称のための表示マーカに係り、その区分、材質、寸法、製造管理番号等を表示してその製造履歴を示し、透過試験結果の管理の容易化，効率化を図り管理データの牽引を可能にする放射線透過試験用基準ゲージの表示マーカに関する。
【０００２】
【従来の技術】
放射線透過試験（ＲＴ）のフィルム撮影に関しては撮影条件が細かく定められているが、フィルムをデジタル化しようとする場合、必要とする分解能が明確にされていない。また、デジタル化されたフィルムデータからどのような条件でデジタル化が行われたかを確認できないという問題点がある。このため、フィルム読み取り装置（デジタイザー）で読み取り分解能が確認できる基準ゲージ（透過度計相当のラインペアチャート）が用いられている。この基準ゲージをフィルムと同時に読み取ることによりデジタル化されたフィルム上で読み取り分解能を容易に確認することができる。
【０００３】
更に、詳しく説明すると予め撮影されたＲＴフィルムは検査員によりフィルムの濃度の良否、材厚相当の透過度計の識別性及びフィルムに撮影されたキズの有無等が観察、判定される。なお、この際、検査員はフィルムとして具備すべき条件の確認と撮影箇所のキズの算定評価を行い、総合的にフィルムの良否が判定される。これ等の諸条件を満足したフィルムをデジタル化する上での重要項目は、検査員の目視分解能と同等又はそれ以上であることが必要となる。このため、検査員の目視相当の分解能を明確にする必要がある。判定されたフィルムをデジタル化するためには目視又は同等以上の条件で画像読み取り装置（デジタイザー）がデータを読み取る必要があり、読み取り分解能の選択がデジタル化されたデータの精度を左右することになる。しかしながら、現状のＲＴフィルムは写し込まれた透過度計を検査員が目視で識別できるか否かを判断しているのみで分解能を確認することができず、数値化を勧める場合の障害となっている。このため従来より基準ゲージ（ラインペアチャート）が用いられている。
【０００４】
【発明が解決しようとする課題】
放射線透過試験（ＲＴ）フィルムのデジタル化の評価を可能にするために使用される基準ゲージとしては、大別して有孔型透過対応の基準ゲージ（主にアメリカにおいて使用されている）と針金型透過対応の基準ゲージ（日本で用いられている）の２種類のものがあり、前記針金型透過対応の基準ゲージの変形型である線形型透過対応の基準ゲージが採用されている。このものは平板体の中央部に複数本の角状長溝を形成するものからなるが、この角状長溝の加工として従来は放電加工が用いられているが極めて非効率であり、かつ高価なものからなる問題点があった。この問題点を解決するために本願発明の同一出願人は各種材質の平板体のほぼ中央領域に各種の幅寸法及びこの幅寸法と同一寸法の幅間隔を有する複数本の長溝からなる基準ゲージを開発し前記の有孔型タイプヤ針金型タイプの基準ゲージに替るものとした。この基準ゲージは高密度に製作でき、比較的容易に、かつ安価に形成し得るものであり、放射線透過試験の基準ゲージとして広く使用することができる。
【０００５】
前記のように、この基準ゲージは各種類のものからなり、その呼称が必要であると共に前記の有孔型タイプや針金型タイプとの関連の区分分けを必要とするものである。このために基準ゲージにはそれ等を表示する表示マーカが必要になる。また、基準ゲージは前記のように放射線透過試験用のものであり、この試験時において使用された基準ゲージの内容を知ることが必要であり、特にデータ管理のＩＴ化推進にはその記録管理の効率化が必要である。このため表示マーカは呼称内容の明示するため放射線を透過しないものから作る必要があり、フィルム上にその表示マーカが明確に、高精度に明示されることが必要である。
【０００６】
本発明は、以上の事情に鑑みて発明されたものであり、基準ゲージの呼称やシリアル番号等を基準ゲージに一体的に付設すると共にその明示のために放射線不透過部材により形成される放射線透過試験用基準ゲージの表示マーカを提供することを目的とする。
【０００７】
【課題を解決するための手段】
本発明は、以上の目的を達成するために、請求項１の発明は、放射線透過試験フィルムのデジタル化の評価を可能にするために用いられ更にデジタル化により前記フィルムを遠方のユーザ等に送付できるゲージであり厚みｔの平板体のほぼ中央領域に幅寸法ｔで長さｎｔの複数本の長溝を貫通すると共にその長溝間の間隔寸法が幅寸法ｔに等しいもの又は任意の寸法のものからなる多種類の寸法、材質からなる基準ゲージを呼称するため前記基準ゲージに一体的又は別体に付設され表示マーカであって、該表示マーカは、前記多種類の基準ゲージの区分、材質、寸法や製造管理番号を表示するマーカ群からなり、該マーカ群は放射線不透過部材から形成されることを特徴とする。表示マーカを区分や材質、寸法等を表示した所定のマーカ群から形成し、これを放射線を透過しない部材から形成することにより放射線透過試験において使用された基準ゲージの内容（呼称やシリアル番号等）をフィルム上に明示することができる。これにより、使用された基準ゲージの管理の容易化やＩＴ化推進が図れる。
【０００８】
また、請求項２の発明は、前記表示マーカが、平板体に前記マーカ群を貫通形成し、その貫通孔内に放射線不透過部材を充填したものからなることを特徴とする。マーカ群を示す貫通孔に放射線不透過部材を充填することによりこのマーカ群の部分が放射線透過試験において放射線の不透過の部分となり、マーカをフィルム上に明示することが確実にできる。
【０００９】
また、請求項３の発明は、前記放射線不透過部材が、鉛粉又は光明丹からなることを特徴とする。鉛粉や光明丹は放射線を不透過することが確実にできると共に充填作業の容易化ができ、かつ表示マーカとしての機能を十分に発揮することができる。また、手軽に入手でき充填作業も比較的容易にできる。
【００１０】
また、請求項４の発明は、前記表示マーカが、前記マーカ群の夫々を放射線不透過部材で形成したものを所定の配列順に従って並べたものからなることを特徴とする。基準ゲージの厚み等が厚い場合には、材質により表示マーカを打ち抜き等で貫通形成することが難しい場合もあり、この場合はマーカ群の夫々を単体の放射線不透過部材で作り、これを所定の配列で並べることにより目的を達成することができる。また、この手段により製作の容易化が図れる。
【００１１】
また、請求項５の発明は、前記基準ゲージ及び表示マーカは、その裏面を樹脂製カバープレートにより被包されたものからなることを特徴とする。基準ゲージと表示マーカを樹脂製カバープレートにより被包することにより両者の一体化と酸化防止，変形防止等が行われ、長期間にわたり使用することができる。また、一体化のため管理の容易化が図れる。
【００１２】
【発明の実施の形態】
以下、本発明の放射線透過試験用基準ゲージの表示マーカ（以下、単に表示マーカと呼称する）の実施の形態を図面を参照して詳述する。図１に示すように、基準ゲージ１は基準ゲージの諸元を示す基準ゲージ本体２と、この内容を表示する表示マーカ３と、これ等を被包する樹脂製カバープレート４とからなる。なお、この基準ゲージ１は前記した有孔型タイプに対応するものと針金型タイプに相当するものとに大別され、その表示マーカ３の表示形式がこの区分により相違する。図１乃至図５は有孔型タイプに対応するものである。
【００１３】
図１及び図２に示すように、基準ゲージ本体２は鉄（Ｆ），ステンレス（Ｓ），アルミニウム（Ａ），チタン（Ｔ），銅（Ｃ）及びセラミックスの各材質からなる厚みｔの平板体のほぼ中央領域に複数本（図示では３本）の長溝５を貫通形成したものからなる。この長溝５は図示のように平板体の厚みｔと同一寸法の幅寸法ｔからなり、かつ隣接する長溝５間の間隔も同一寸法のｔからなる。また、長溝５の長さ寸法はｎｔのものからなる。この長溝５は、例えば、レーザ加工により高精密に加工することができる。
【００１４】
また、図１に示すように、表示マーカ３はアルファベットの文字と数字とを組み合わせたマーカ群からなる。図７に示すように、有孔型タイプの場合は、略称（ａ〜ｓ）に対応して有孔型透過度計の内容がＦ５，Ｆ７〜Ｆ２００のように示され、これに対応する厚み／適用が０．１３ｍｍ／６以下，０．１８ｍｍ／６〜９５〜５．０８ｍｍ／４０６〜５０のように決められている。また、夫々に対応して対応ラインペア型透過度計の表示が（ＨＦ５−１Ｔ，ＨＰ５−２Ｔ，ＨＰ５−４Ｔ），（ＨＦ７−１Ｔ，ＨＦ７−２Ｔ，ＨＦ７−４Ｔ）〜（ＨＦ２００−１Ｔ，ＨＦ２００−２Ｔ）のように決められている。よって、表示マーカ３のマーカ群はこれに対応する内容から決められる。
【００１５】
表示マーカ３の第１番目の大英文字のアルファベットマーカ３ａの「Ｈ」は有孔型タイプを表示するものである。第２番目の大英文字アルファベットマーカ３ｂ（図示ではＦ）は基準ゲージ本体２の平板体の材質を示すものであり、鉄はＦ，ステンレスはＳ，アルミニウムはＡ，チタンはＴ，銅はＣで示される。なお、セラミックスも使用される。よって、図１のアルファベットマーカ３ｂは平板体が鉄であることを示している。第３番目の小英文字のアルファベットマーカ３ｃ（図示ではａ）は図８における略称を示すものであり、図示はａのため有孔型透過度計Ｆ５（０．１３ｍｍ／６以下，ＨＦ５−１Ｔ，ＨＦ５−２Ｔ，ＨＦ５−４Ｔ）に対応する。第４番目の数字マーカ３ｄ（図示では１が示されている）は略称ａの内のＨＦ５−１Ｔ，ＨＦ５−２Ｔ，ＨＦ５−４Ｔの区分を表わすもので数字が１の場合はＨＦ５−１Ｔを示すものである。よって仮りにこの数字マーカ３ｄが４の場合はＨＦ５−４Ｔを示すものである。第５番目の数字マーカ３ｅ（図示では００１）は製造管理番号を示すものであり、３桁のシリアル番号からなる。以上のことから、図１の表示マーカ３は有孔型タイプに対応するもので平板体が鉄からなり、有孔型タイプの略称ａの部分に相当するもので、かつＨＦ５−１Ｔに対応するものでシリアル番号が最初の００１であることを示すものである。
【００１６】
図１，図３に示した表示マーカ３は、例えば、アルミニウム板６に前記３ａ〜３ｅのマーカ群の夫々マーカを打ち抜きやレーザ加工等により加工して貫通孔を形成し、この貫通孔内に鉛や光明丹に鉛粉を入れたものを充填したものからなる。なお、充填の際に鉛等が前記貫通孔から流出しないようにアルミニウム板６の裏面側には例えばアルミ箔７が貼着される。鉛粉や光明丹は放射線不透過部材となり、試験時において放射線を透過しないものからなる。このため、このマーカ群に対応する表示をフィルム上に明示することができる。また、前記の各マーカ３ａ〜３ｅは鉛粉や光明丹が充填し易いような形態のものからなり、例えば、マーカ３ｃの文字は正式のａの形とは相違するが英字文字のａであることがわかる。また、マーカ３ｅのゼロも数字のゼロであることを認識することができる。これ等の字体についてはここで明示していないが規準化されている。
【００１７】
図１乃至図３で示した基準ゲージ１の場合は前記のように表示マーカ３はアルミニウム板６にマーカ群３ａ等を貫通形成し、その貫通孔の中に鉛等を充填したものから形成されたものからなる。しかしながら、基準ゲージ１の厚みがある寸法以上厚くなると、比較的小さな文字からなる表示マーカ３を貫通形成することが難しくなる。よって、この場合の基準ゲージ１′の表示マーカ３′はアルミニウム板６を用いないで夫々のマーカ３′ａ等を鉛粉等により単体で形成し、図４に示すように所定の内容，配列に並べたものから形成する。即ち、表示マーカ３′は単体の３′ａ，３′ｂ，３′ｃ，３′ｄ，３′ｅから形成されて配列したものからなる。これにより前記の表示マーカ３と同一の機能を果たすことができる。なお、図５は図４の表示マーカ３′の断面形状を示すものである。この場合も表示マーカ３′は基準ゲージ本体２と一体的に樹脂製カバープレートにより被包されるため脱落は生じない。
【００１８】
図６の基準ゲージは針金型タイプに対応する表示マーカ３″を有するものを示す。針金型タイプの場合は図８に示す線型透過度対応ラインペア型透過度計の表示内容に対応する表示マーカ３″が用いられる。即ち、図６における「ＷＦＡ１００１」の表示の第１番目の大英文字のアルファベットマーカ３″ａの「Ｗ」は針金型タイプを表示するものである。第２番目の大英文字のアルファベットマーカ３″ｂの「Ｆ」は前記のように材質を表示するものでこの場合は材質が鉄であることを表示する。第３番目の大英文字のアルファベットマーカ３″ｃの「Ａ」は図８における略称を示すものであり、「Ａ」は線型透過度計が０．２Ｆ１４．０４Ｉ／２で線径／適用厚みが０．１２５ｍｍ／４以下のものであることを示す。また、第４番目の数字マーカ３″ｄは図８の対応ラインベア型透過度計の表示に対応するもので図示の１の文字は図９のＷＦ０．１３−１Ｔに対応するものである。また、第５番目の数字マーカ３″ｅ（図示は００１）は製造管理番号を示すもので３桁のシリアル番号からなる。この場合の表示マーカ３″も前記の表示マーカ３と同じように平板体に打ち抜き又はレーザ加工した貫通孔に鉛等を充填したものや、鉛等の放射線不透過部材の単体マーカを所定の内容，配列に従って並べたものからなる。
【００１９】
以上のように基準ゲージ１の表示マーカ３等が付設されることにより、この基準ゲージ１の内容が明確になり透過度計の名称や管理データの牽引が可能となり試験結果の管理が正確に行われ、将来生ずる種々の対応が円滑に行われる。なお、基準ゲージ１等の表示マーカ３等の内容，形態は以上の説明のものとしたが、それに限定するものでないことは勿論であり、放射線不透過部材の内容も前記のものに限定するものではない。
【００２０】
【発明の効果】
１）本発明の請求項１によれば、放射線透過試験に用いられる基準ゲージの内容がフィルム上に明示され、以後のデータ管理が極めて容易に、かつ効率的に行われる。
２）本発明の請求項２によれば、表示マーカを貫通孔のマーカ群内に放射線不透過部材を充填したものからなり、フィルム上にマーカを明示することが確実になる。
３）本発明の請求項３によれば、放射線不透過部材として鉛等を用いることにより、充填作業の容易化が図れる。また、比較的安価に入手でき、コスト低減ができる。
４）本発明の請求項４によれば、マーカ群を単体品を配列したものから形成することにより、基準ゲージの厚みが厚い場合でも表示マーカを容易に形成することができる。
５）本発明の請求項５によれば、基準ゲージは樹脂製カバープレートにより全体的に被包されるため、基準ゲージ本体と表示マーカが一体化されると共に、酸化や変形が防止され、耐久性の向上が図れる。
【図面の簡単な説明】
【図１】本発明に係る表示マーク（有孔型タイプ）を付設した基準ゲージの全体構造を示す平面図。
【図２】図１のＡ−Ａ線断面図。
【図３】図１のＢ−Ｂ線断面図。
【図４】図１のＢ−Ｂ線断面図。
【図５】本発明に係る表示マーク（有孔型タイプ）を付設した基準ゲージの全体構造を示す平面図。
【図６】本発明に係る表示マーク（針金型タイプ）を付設した基準ゲージの全体構造を示す平面図。
【図７】有孔型タイプの基準ゲージと本発明のラインペアタイプとの関係を示す対応表。
【図８】針金型タイプの基準ゲージと本発明のラインペアタイプとの関係を示す対応表。
【符号の説明】
１      基準ゲージ
１′    基準ゲージ
１″    基準ゲージ
２      基準ゲージ本体
３      表示マーカ
３′    表示マーカ
３″    表示マーカ
３ａ    アルファベットマーカ
３′ａ  アルファベットマーカ
３″ａ  アルファベットマーカ
３ｂ    アルファベットマーカ
３′ｂ  アルファベットマーカ
３″ｂ  アルファベットマーカ
３ｃ    アルファベットマーカ
３′ｃ  アルファベットマーカ
３″ｃ  アルファベットマーカ
３ｄ    数字マーカ
３′ｄ  数字マーカ
３″ｄ  数字マーカ
３ｅ    数字マーカ
３′ｅ  数字マーカ
３″ｅ  数字マーカ
４      樹脂製カバープレート
５      長溝
６      アルミニウム板
７      アルミ箔
【図１】
2004226268.tif 000003
【図２】
2004226268.tif 000004
【図３】
2004226268.tif 000005
【図４】
2004226268.tif 000006
【図５】
2004226268.tif 000007
【図６】
2004226268.tif 000008
【図７】
2004226268.tif 000009
【図８】
2004226268.tif 000010